(57)【要約】  本発明の課題は、より安全な携帯端末を用いたカードレスシステムを提供することである。また、本発明に係るカードレスシステム１０は、各ユーザがそれぞれ所有するポイント又は現金をデータとして記録するデータベース１４と、各ユーザがそれぞれ所有する携帯端末４０の画面に表示され各ユーザに対応するコードを生成する制御装置と、を備え、当該コードは、データベース１４に記録されたポイント又は現金を使用する際に携帯端末４０に表示されて用いられるワンタイムコードである。
2016143127.tif 000002
【特許請求の範囲】
【請求項１】
各ユーザがそれぞれ所有するポイント又は現金をデータとして記録するデータベースと、  前記各ユーザがそれぞれ所有する携帯端末から出力され前記各ユーザに対応するコードを生成する制御装置と、  を備え、  前記コードは、前記データベースに記録された前記ポイント又は前記現金を使用する際に前記携帯端末から出力されて用いられるワンタイムコードであることを特徴とするカードレスシステム。
【請求項２】
請求項１に記載のカードレスシステムにおいて、  前記コードは、前記各ユーザが前記ポイント又は前記現金を使用する際に前記制御装置にワン切りアクセスをすることにより生成されることを特徴とするカードレスシステム。
【請求項３】
請求項１に記載のカードレスシステムにおいて、  前記コードは、前記各ユーザが前記ポイント又は前記現金を使用する際に前記制御装置に空メールを送信することにより生成されることを特徴とするカードレスシステム。
【請求項４】
請求項１から請求項３のいずれか１項に記載のカードレスシステムにおいて、  前記携帯端末によって前記コードとは異なるワンタイムコードを取得することにより、前記データベースに記録された前記ポイント又は前記現金の残高を更新可能とすることを特徴とするカードレスシステム。 
【発明の詳細な説明】
【技術分野】
【０００１】  本発明は、カードを用いることなくポイント又は現金を利用するカードレスシステムに関する。
【背景技術】
【０００２】  従来、商品を購入した際に付与されるポイントはポイントカード等に蓄積される。例えば、特許文献１には、店舗において発行されたポイントカードにポイントを蓄積する例が示されている。【０００３】  ユーザは、店舗毎に異なるポイントカードを所有する必要があり、これら全てを財布に収納すると煩雑となる。そして、これらを使用する際に店舗毎に応じたカードを取り出すことも煩わしい。また、銀行カードやクレジットカードも複数所有するとさらに煩雑となるため、複数のカードを所有する必要が無いシステムの開発が望まれる。
【先行技術文献】
【特許文献】
【０００４】
【特許文献１】特開２０１４−１６０３８８号公報
【発明の概要】
【発明が解決しようとする課題】
【０００５】  現在は、スマートフォンやタブレット端末等の携帯端末が普及しており、これをポイントカードの代わりに使用することが想定される。例えば、ＱＲコード（登録商標）を携帯端末の画面に表示させて使用することが考えられる。しかし、この場合、例えば、ＱＲコード（登録商標）を第三者によって撮影されてしまうと不正に使用される可能性がある。【０００６】  本発明は、より安全に携帯端末を用いたカードレスシステムを提供することである。
【課題を解決するための手段】
【０００７】  本発明に係るカードレスシステムは、各ユーザがそれぞれ所有するポイント又は現金をデータとして記録するデータベースと、前記各ユーザがそれぞれ所有する携帯端末から出力され前記各ユーザに対応するコードを生成する制御装置と、を備え、前記コードは、前記データベースに記録された前記ポイント又は前記現金を使用する際に前記携帯端末から出力されて用いられるワンタイムコードであることを特徴とする。【０００８】  また、本発明に係るカードレスシステムにおいて、前記コードは、前記各ユーザが前記ポイント又は前記現金を使用する際に前記制御装置にワン切りアクセスをすることにより生成されることが好ましい。【０００９】  また、本発明に係るカードレスシステムにおいて、前記コードは、前記各ユーザが前記ポイント又は前記現金を使用する際に前記制御装置に空メールを送信することにより生成されることが好ましい。【００１０】  また、本発明に係るカードレスシステムにおいて、前記携帯端末によって前記コードとは異なるワンタイムコードを取得することにより、前記データベースに記録された前記ポイント又は前記現金の残高を更新可能とすることが好ましい。
【発明の効果】
【００１１】  本発明によれば、ユーザが使用する際に表示されるワンタイムコードを用いてポイント又は現金が利用されるため、ユーザはより安全にポイント又は現金を使うことができる。
【図面の簡単な説明】
【００１２】
【図１】本発明に係る実施形態のカードレスシステムの構成図である。
【図２】本発明に係る実施形態において、ユーザが店舗でポイントを使って買い物をしている状況を示す図である。
【図３】本発明に係る実施形態において、ユーザがデータベースに溜まっているポイントを使う手順を示すフローチャートである。
【図４】本発明に係る実施形態において、ユーザが新たなポイントをデータベースに加算する手順を示すフローチャートである。
【図５】本発明に係る実施形態のカードレスシステムの他の適用例を示す図である。
【図６】本発明に係る実施形態のカードレスシステムのさらに他の適用例を示す図である。
【図７】本発明に係る実施形態のカードレスシステムの別の適用例を示す図である。
【図８】本発明に係る実施形態のカードレスシステムのさらに別の適用例を示す図である。
【発明を実施するための形態】
【００１３】  以下に、本発明に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１４】  なお、ワンタイムｎ次元コード（ｎ≧１の整数）として、例えば、１次元コードの一例であるワンタイムバーコードや２次元コードの一例であるワンタイムＱＲコードを説明するが、３次元コード、４次元コード・・・等の複数次元コードのワンタイムコードも含まれる。
【００１５】  図１は、カードレスシステム１０の構成図である。図２は、カードレスシステム１０を利用して、ユーザ４が店舗でポイントを使って買い物をしている状況を示す図である。カードレスシステム１０は、制御装置１２とデータベース１４とを備える。制御装置１２は、制御部１６と、記録部１８と、ドライブ部２０と、通信部２２とを含む。なお、通信ネットワーク８は、インターネット回線や電話回線を含んだネットワーク回線である。
【００１６】  制御部１６は、マイクロプロセッサを含んで構成される。制御部１６は、記録部１８と、ドライブ部２０と、通信部２２の制御を行う。制御部１６は、データベース１４にアクセス可能である。データベース１４には、各ユーザが店舗等で清算をする際に利用するポイントの残高が登録されている。ここで、ポイントとは、商品を購入した際に付与される点数であり、他の商品を購入する際に利用することができるものである。なお、ここでは、データベース１４に溜まるのはポイントであるとして説明するが、ポイント以外のもの例えば現金を蓄積してもよい。
【００１７】  記録部１８は、主記憶部と補助記憶部とを備える。記録部１８は、制御部１６上で実行されるプログラムを記録する。主記憶部は、ＲＡＭを含んで構成される。補助記憶部は、ハードディスクを含んで構成される。
【００１８】  ドライブ部２０は、光ディスクに記録されたプログラムやデータを読み出す。このようにドライブ部２０によって読み出されたプログラムやデータは、記録部１８に記録される。
【００１９】  なお、プログラムやデータは、光ディスク以外の情報記憶媒体、例えばメモリカードに記憶されていてもよく、この場合、この情報記憶媒体を介してプログラムやデータが記録部１８に供給されて記録される。
【００２０】  通信部２２は、通信ネットワーク８を介して、店舗端末３０や携帯端末４０等との間でデータ通信を行うためのものである。通信部２２は、音声通信部２４と、データ通信部２６とを含んで構成される。
【００２１】  音声通信部２４は、音声通話発信を受け取り、その発信元のユーザ４を特定する。音声通信部２４は、制御部１６に対し、そのユーザ４に関する情報を伝送する。これを受けた制御部１６は、そのユーザ４に対応するワンタイムバーコード１１を生成する。制御部１６は、そのユーザ４及びこれに対応するワンタイムバーコード１１をデータ通信部２６に伝送する。ワンタイムバーコード１１については後述する。
【００２２】  なお、上記音声通話発信とは、ユーザ４の携帯端末４０から制御装置１２に対して音声通話による呼び出しを意味する。ここでは、一回呼びが鳴ることを確認した状態で通話を切断する「ワン切り」であるものとして説明するが、もちろんワン切りでなくとも２回以上呼びを継続した後で通話を切断してもよい。
【００２３】  データ通信部２６は、制御部１６からの伝送情報に基づいて、ユーザ４のメールアドレスにワンタイムバーコード１１に関するデータを添付する。これを受信したユーザ４の携帯端末４０は、添付を開いてユーザ４に対応するワンタイムバーコード１１を画面に表示することができる。なお、ここでは、メールでワンタイムバーコード１１に関するデータを添付するものとして説明したが、ワンタイムバーコード１１を表示させるためのＵＲＬを送付し、ユーザ４がそのＵＲＬにアクセスすることにより表示するものとしてもよい。
【００２４】  また、データ通信部２６は、上記ワンタイムバーコード１１が店舗端末３０のバーコードリーダ３１によって読み取られ、ポイントが使用された場合、店舗端末３０からそのユーザ４のポイントを差し引くための情報が送信される。これを受信した制御部１６は、データベース１４にアクセスし、そのユーザ４のポイント残高を更新する。この時、制御部１６は、このワンタイムバーコード１１は、一度使用されたものであるとして無効化処理を行い、以後このワンタイムバーコード１１を用いてポイントを使用できない状態とする。
【００２５】  さらに、データ通信部２６は、後述するワンタイムＱＲコード１５が携帯端末４０側から送信されてきたときに、そのワンタイムＱＲコード１５に対応するユーザ４及びポイント更新情報を特定し、制御部１６に伝送する。これを受けた制御部１６は、データベース１４にアクセスし、そのユーザ４のポイント残高を更新する。この時、制御部１６は、このワンタイムＱＲコード１５は、一度使用されたものであるとして無効化処理を行い、以後このワンタイムＱＲコード１５を用いてポイントを更新できない状態とする。
【００２６】  なお、上記では、携帯端末４０を利用するワン切りを用いて説明したが、その他の手段であってもよい。例えば、ユーザ４の携帯端末４０の端末通信部５０から制御装置１２に対して空メールを送信してもよい。ここで、空メールとは、メール本文の記載内容が無い状態のメールを意味する。このとき、空メールを受信したデータ通信部２６は、その発信元のユーザ４を特定する。そして、データ通信部２６は、制御部１６に対し、そのユーザ４に関する情報を伝送する。その後は、上記ワン切りの場合と同様の手順である。
【００２７】  携帯端末４０は、端末制御部４２と端末メモリ４４とを備える。端末制御部４２は、マイクロプロセッサを含んで構成される。端末制御部４２は、端末メモリ４４に記憶されたプログラムを実行し、この携帯端末４０全体を制御する。
【００２８】  端末メモリ４４は、ＲＯＭやＲＡＭ、フラッシュメモリ等で構成される。端末メモリ４４は、プログラムや各種データ等を記録する。
【００２９】  携帯端末４０は、表示部４６と、コード認識部４７と、操作部４８とをさらに備える。表示部４６は、画像を表示する。表示部４６は、液晶ディスプレイやＥＬディスプレイ等と、それを制御するコントローラとで構成される。制御装置１２から伝送されてきた上記ワンタイムバーコード１１は、この表示部４６に表示される。
【００３０】  コード認識部４７は、画像認識カメラを含んで構成され、ワンタイムＱＲコード１５を認識する機能を有する。コード認識部４７によって認識されたワンタイムＱＲコードは、操作部４８の操作により、データ通信部５４に伝送される。
【００３１】  操作部４８は、ユーザからの入力操作を受け付ける。操作部４８は、タッチパネル、キーボード、十字キー、ジョイスティック等で構成される。なお、図２に示されるように、表示部４６および操作部４８として、液晶ディスプレイとタッチパネルとからなるタッチパネルディスプレイを備えてもよい。ユーザは、操作部４８を用いて、ワンタイムバーコード１１を表示させるために制御装置１２に対し、ワン切り又は空メールの送信のための操作を行うことができる。
【００３２】  携帯端末４０は、端末通信部５０をさらに備える。端末通信部５０は、通信ネットワーク８を介して音声通信及びデータ通信を行う機能を有する。端末通信部５０は、音声通信部５２と、データ通信部５４とを含んで構成される。
【００３３】  音声通信部５２は、ユーザが制御装置１２に対してワン切りを行う際に、呼び信号を制御装置１２に対して伝送する機能を有する。
【００３４】  データ通信部５４は、制御装置１２から伝送されてきたワンタイムバーコード１１を受信し、表示部４６に伝送する機能を有する。また、データ通信部５４は、操作部４８の操作により、コード認識部４７から伝送されてきたワンタイムＱＲコード１５を制御装置１２に伝送する機能を有する。
【００３５】  店舗端末３０は、実際の店舗に設置される情報処理装置である。店舗端末３０はＰＯＳ（Ｐｏｉｎｔ  Ｏｆ  Ｓａｌｅ）レジスタである。店舗端末３０は、ワンタイムバーコード１１やワンタイムＱＲコード１５等のワンタイムｎ次元コード（ｎ≧１の整数）を読み取る機能を有しているが、ここではワンタイムバーコード１１を読み取るバーコードリーダ３１を用いて説明する。店舗端末３０と制御装置１２との間では通信ネットワーク８を介して相互にデータ通信が可能である。また、店舗端末３０から出力されるレシート１３には、ワンタイムＱＲコード１５を出力することができる。このワンタイムＱＲコード１５は、例えば、商品を購入した価格の数％の割合でポイントが加算される場合に、そのポイント数の情報が含まれている。なお、ここでは店舗端末３０は、ＰＯＳレジスタであるものとして説明したが、もちろん、その他の端末、例えば、スマートフォンやタブレットのような携帯端末を用いてもよい。
【００３６】  続いて、上記構成のカードレスシステム１０の作用について説明する。まず、最初にユーザ４がデータベース１４に溜まっているポイントを使う場合について説明する。図３は、ユーザ４がデータベース１４に溜まっているポイントを使う手順を示すフローチャートである。ユーザ４が、商品を手に取ってレジ２９に並び携帯端末４０を取り出す（Ｓ２）。
【００３７】  レジ２９において、ユーザ４は店員６に携帯端末４０を見せ、店員６の目の前で操作部４８を操作し、制御装置１２に対してワン切りを行う（Ｓ４）。これにより、このユーザ４に対応するワンタイムバーコード１１が生成され、制御装置１２から携帯端末４０に伝送されて、表示部４６にワンタイムバーコード１１が表示される。
【００３８】  その後、店員６は、店舗端末３０のバーコードリーダ３１で、表示部４６に表示されたワンタイムバーコード１１を読み取り、ユーザ４が購入する商品の清算を行う（Ｓ６）。つまり、ユーザ４が使用するポイント分を商品の価格から差し引いた上で、残りの金額を現金等で支払う。
【００３９】  そして、データベース１４のうち、このユーザ４が使うポイントが使用されると、先程読み取られたワンタイムバーコード１１が無効状態となる（Ｓ８）。これにより、万一、ユーザ４以外の第三者がこのワンタイムバーコード１１を撮影し、撮影されたワンタイムバーコード１１を不正に利用しようとした場合であっても、ワンタイムバーコード１１は機能しない。したがって、第三者による不正利用を防止することができる。
【００４０】  次に、ユーザ４が新たなポイントをデータベース１４に加算する場合について説明する。図４は、ユーザ４が新たなポイントをデータベース１４に加算する手順を示すフローチャートである。ユーザ４が商品を購入し、清算を済ませると、店舗端末３０からはレシート１３が出力される（Ｓ１０）。このレシート１３には、購入した商品の金額に対応するポイントが表示されたワンタイムＱＲコード１５が印刷されている。
【００４１】  そして、ユーザ４は、携帯端末４０のコード認識部４７を用いて、ワンタイムＱＲコード１５を認識させると、このデータが制御装置１２に伝送される（Ｓ１２）。このワンタイムＱＲコード１５を受け取った制御装置１２は、データベース１４にアクセスし、そのユーザ４のポイント残高を更新する（Ｓ１４）。その後、この利用されたワンタイムＱＲコード１５が無効状態となる（Ｓ１６）。これにより、ユーザ４がレシート１３に印刷されたワンタイムＱＲコード１５を何度も読み取って、何度もポイントを加算するといった不正を防ぐことができる。
【００４２】  図５は、カードレスシステム１０の他の適用例を示す図である。ここでは、ユーザ４が自動販売機７で缶ジュース９を購入している様子を示す図である。缶ジュース９の側面には、期間限定でポイントを加算することを可能とするワンタイムＱＲコード１５がシールとして貼り付けられている。このような状況において、カードレスシステム１０は特に効果がある。ユーザ４が自動販売機７で缶ジュース９を購入して手にし、携帯端末４０のコード認識部４７を用いて、ワンタイムＱＲコード１５を認識させると、このデータが制御装置１２に伝送される。このワンタイムＱＲコード１５を受け取った制御装置１２は、データベース１４にアクセスし、そのユーザ４のポイント残高を更新する。この場合、缶ジュース９に貼られたシールに記載されたワンタイムＱＲコード１５は、一度の使用で効力が無くなるため、ユーザ４が同じワンタイムＱＲコード１５を何度も用いてポイントを貯めるといった不正を防止することができる。
【００４３】  図６は、カードレスシステム１０のさらに他の適用例を示す図である。ここでは、コンビニエンスストアのジュース棚１７に収納されたペットボトル１９を購入する様子を示す図である。ペットボトル１９には、期間限定でポイントを加算することを可能とするワンタイムＱＲコード１５がシールとして貼り付けられている。ただし、このワンタイムＱＲコード１５は、上記自動販売機７の適用例とは異なり、店舗端末３０で購入手続きをしてはじめてワンタイムＱＲコード１５として機能するように設定されている。
【００４４】  ジュース棚１７では、商品を購入する前にユーザ４はペットボトル１９を手にすることができる。このため、商品を購入前にワンタイムＱＲコード１５が機能していれば、ユーザ４は商品を購入することなくポイントの加算のみを行う不正をする可能性がある。しかしながら、このカードレスシステム１０によれば、ペットボトル１９を購入するまでワンタイムＱＲコード１５は機能しないため、そのような不正を防止することができる。
【００４５】  図７は、カードレスシステム１０の別の適用例を示す図である。ここでは、ガソリンスタンドにおいて、ユーザ４が自動車３に給油している様子を示す図である。なお、このカードレスシステム１０において、データベース１４に貯められているのはポイントではなく、お金である。すなわち、制御装置１２とデータベース１４が銀行の一部の機能の役割を担っている。ユーザ４がお金を預ける場合、例えば、制御装置１２とデータベース１４を有する銀行に出向き、行員の前で制御装置１２に対して空メールを送信する。これにより、このユーザ４に対応するワンタイムバーコード１１が生成され、制御装置１２から携帯端末４０に伝送され、表示部４６に表示される。そして、ユーザ４は預入したいお金を行員に差し出し、行員がこのワンタイムバーコード１１を読み取ってデータベース１４の残高を更新する。
【００４６】  ユーザ４は、自動車３の給油が必要となった場合に、ガソリンスタンドに立ち寄って自動車３の給油を行う。この際、店員６が給油装置５を用いて給油を行い、ガソリン代の清算を行う際にも携帯端末４０を用いる。具体的には、ユーザ４は店員６に携帯端末４０を見せ、店員６の目の前で操作部４８を操作し、制御装置１２に対して空メールを送信する。これにより、このユーザ４に対応するワンタイムバーコード１１が生成され、制御装置１２から携帯端末４０に伝送され、表示部４６に表示される。
【００４７】  その後、店員６は、店舗端末３０のバーコードリーダ３１で、表示部４６に表示されたワンタイムバーコード１１を読み取り、ガソリン代の清算を行う。仮に、第三者がそのワンタイムバーコード１１を撮影した場合であっても、カードレスシステム１０では、ワンタイムバーコード１１を用いているため、一度きりの使用しかできない。したがって、第三者による不正利用を防止することができる。
【００４８】  また、このカードレスシステム１０では、通常の紙幣等を用いた清算を必要としないため、万一、店員６に魔がさして売上金に手を付けてしまうといったことも抑制することができる。
【００４９】  図８は、カードレスシステム１０のさらに他の適用例を示す図である。ここでは、駅の改札において、ユーザ４が改札内に入る様子を示す図である。駅の改札では、通常時はゲート３３が閉じられている状態である。ユーザ４が改札内に入る場合に、制御装置１２に対して空メールを送信する。これにより、このユーザ４に対応するワンタイムバーコード１１が生成され、制御装置１２から携帯端末４０に伝送され、表示部４６に表示される。
【００５０】  その後、店舗端末３０に相当する改札機の読取装置３１でワンタイムバーコード１１を読み取るとゲート３３が開かれる。これにより、ユーザ４は改札内に入ることができる。このように、このカードレスシステム１０では、ワンタイムバーコード１１を読み取らない限り、ゲート３３が開かないため、不正乗車の乗客を防止することができる利点がある。
【００５１】  上記カードレスシステム１０では、ワン切りや空メールを送信することでワンタイムバーコードを生成するものとして説明したが、この際にＩＤとパスワードの入力を求めることでセキュリティ面の強化を図ることができる。
【００５２】  また、上記カードレスシステム１０は、ワンタイムバーコードやワンタイムＱＲコードといったｎ次元コードを用いるものとして説明したが、その他のコードを用いてもよい。例えば、音声コードをワンタイム化することで同様のシステムを実現することができる。
【００５３】  なお、上記カードレスシステム１０は、カードを用いることなくポイント又は現金を利用するシステムであるとして説明したが、ポイント又は現金を利用する場合以外のシステムにおいてもカードレスを実現することができる。例えば、様々な店舗において個人認証を行うことに用いたり、また、コンサートやイベント会場等の入場チケットの代わりにこのカードレスシステム１０を適用することが好ましい。
【００５４】  さらに、撮像カメラ付きのパソコン等の端末を利用する際にもこのカードシステム１０を用いて個人認証することで、セキュリティ性を向上させることができる。また、パソコンやその他の端末で所定のアクセス場所に接続する際にＩＤ番号とパスワードを入力する場合に、このカードシステム１０を組み合わせることが好適である。例えば、ＩＤ番号とパスワードを入力した際に携帯端末４０のメールに更なる認証情報を送信し、その認証情報を用いない限り、上記所定のアクセス場所に接続できない構成にすることで、よりセキュリティ性を向上させることができる。
【００５５】  なお、上記自動販売機７には、缶ジュース等を販売する自動販売機のみならず、その他の販売機を含むものとする。例えば、電車等の乗車に使用できるチケットであり、ワンタイムＱＲコードが印刷されたチケットを販売する券売機も含むものとする。
【００５６】  また、上記ではワンタイムＱＲコードを読み取ることでポイントを加算するものとして説明したが、その他のサービスを付加してもよい。例えば、ゲーム機能を付加し、そのゲームの結果に応じて特典を変えるようなサービスを付加するものも含むものとする。
【符号の説明】
【００５７】  ３  自動車、４  ユーザ、５  給油装置、６  店員、７  自動販売機、８  通信ネットワーク、９  缶ジュース、１０  カードレスシステム、１１  ワンタイムバーコード、１２  制御装置、１３  レシート、１４  データベース、１５  ワンタイムＱＲコード、１６  制御部、１７  ジュース棚、１８  記録部、１９  ペットボトル、２０  ドライブ部、２２  通信部、２４  音声通信部、２６  データ通信部、２９  レジ、３０  店舗端末、３１  バーコードリーダ、４０  携帯端末、４２  端末制御部、４４  端末メモリ、４６  表示部、４７  コード認識部、４８  操作部、５０  端末通信部、５２  音声通信部、５４  データ通信部。
【図１】
2016143127.tif 000003
【図２】
2016143127.tif 000004
【図３】
2016143127.tif 000005
【図４】
2016143127.tif 000006
【図５】
2016143127.tif 000007
【図６】
2016143127.tif 000008
【図７】
2016143127.tif 000009
【図８】
2016143127.tif 000010
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
各ユーザがそれぞれ所有するポイント又は現金をデータとして記録するデータベースと、
前記各ユーザがそれぞれ所有する携帯端末から出力され前記各ユーザに対応するコードを生成する制御装置と、
を備え、
前記コードは、前記データベースに記録された前記ポイント又は前記現金を使用する際に前記携帯端末から出力されて用いられるワンタイムコードであり、
前記ワンタイムコードが読み取られ、前記データベースに記録された前記ポイント又は前記現金の残高の更新に合わせて前記ワンタイムコードが無効化処理されることを特徴とするカードレスシステム。
【請求項２】
請求項１に記載のカードレスシステムにおいて、
前記コードは、前記各ユーザが前記ポイント又は前記現金を使用する際に前記制御装置にワン切りアクセスをすることにより生成されることを特徴とするカードレスシステム。
【請求項３】
請求項１に記載のカードレスシステムにおいて、
前記コードは、前記各ユーザが前記ポイント又は前記現金を使用する際に前記制御装置に空メールを送信することにより生成されることを特徴とするカードレスシステム。
【請求項４】
請求項１から請求項３のいずれか１項に記載のカードレスシステムにおいて、
前記携帯端末によって前記コードとは異なるワンタイムコードを取得することにより、前記データベースに記録された前記ポイント又は前記現金の残高を更新可能とすることを特徴とするカードレスシステム。
【国際調査報告】
2016143127.tif 000011
2016143127.tif 000012